(57)【要約】【課題】  各色の光を出射する発光素子を有する画素が配置された表示パネルを備えた表示装置において、ホワイトバランスで個々の色の最大発光輝度が制限されていても、ホワイトバランス調整輝度より大きい発光輝度で表示を行うことができるとともに、画像の表示態様を増やし表示装置の用途を広げることができる表示装置の表示方法、表示装置及び電子機器を提供する。【解決手段】  赤用有機ＥＬ素子を有する赤用画素、緑用有機ＥＬ素子を有する緑用画素、青用有機ＥＬ素子を有する青用画素を配置した表示パネル部２において、輝度データに輝度モードデータを付加したビデオデータＤを供給するようにした。そして、その輝度モードデータに基づいて、前記各有機ＥＬ素子に対する新たな変換ビデオデータを作成し、その変換ビデオデータに基づいて前記各有機ＥＬ素子を発光制御するようにした。【選択図】      図５
2007094328.tif 000002
【特許請求の範囲】
【請求項１】
複数の走査線と複数のデータ線との交差部に対応した各位置に、フルカラー表示のための各色の光を出射する発光素子を有する画素が形成された表示パネルに対して、
外部装置から前記画素に対する輝度データに基づいて前記データ線を介して前記画素に供給するデータ信号を生成し、前記画素の発光素子を、前記データ信号に基づいて、発光させるようにした表示装置の表示方法において、
前記表示パネル中に、同一の前記輝度データに対してホワイトバランス調整輝度より大きい調整輝度で発光する領域が少なくとも１以上存在するように、前記領域の各画素の発光素子を発光させるようにしたことを特徴とする表示装置の表示方法。
【請求項２】
請求項１に記載の表示装置の表示方法において、
前記外部装置からの輝度データに輝度変換データを付加し、前記付加した輝度変換データに基づいて前記輝度データを、新たな輝度変換データに変換し、前記新たな輝度データに基づいて前記領域の各画素の発光輝度を発光させるようにしたことを特徴とする表示装置の表示方法。
【請求項３】
請求項１に記載の表示装置の表示方法において、
前記外部装置から出力される輝度データが、前記領域の各画素の発光素子のための輝度データかを判定し、
前記領域の各画素の発光素子のための輝度データと判定したとき、前記輝度データに対する発光輝度より大きい発光輝度で発光させるための新たな輝度データに変更し、前記新たな輝度データに基づいて前記領域の各画素の発光素子を発光させるようにしたことを特徴とする表示装置の表示方法。
【請求項４】
請求項１〜３のいずれか一つに記載の表示装置の表示方法において、
各色の光を出射する発光素子の各々に供給する電源電圧は、予め設定したホワイトバランスのための輝度比で決まる電源電圧より大きな電源電圧であることを特徴とする表示装置の表示方法。
【請求項５】
請求項１〜４のいずれか一つに記載の表示装置の表示方法において、
前記領域は、単色の表示が行われる単色表示領域であることを特徴とする表示装置の表示方法。
【請求項６】
請求項１〜５のいずれか一つに記載の表示装置の表示方法において、
前記表示パネルに表示される画像は、車両の車両情報を報知する車両情報画像であることを特徴とする表示装置の表示方法。
【請求項７】
請求項１〜６のいずれか一つに記載の表示装置の表示方法において、
前記発光素子は、エレクトロルミネッセンス素子であることを特徴とする表示装置の表示方法。
【請求項８】
請求項７に記載の表示装置の表示方法において、
前記エレクトロルミネッセンス素子は、有機エレクトロルミネッセンス素子であることを特徴とする表示装置の表示方法。
【請求項９】
複数の走査線と複数のデータ線との交差部に対応した各位置に、フルカラー表示の各色の光を出射する発光素子を有する画素が形成された表示パネルと、
前記各色の光を出射する各発光素子の発光輝度比を設定する輝度比設定手段と、
外部装置からの前記画素に対する輝度データに基づいて前記データ線を介して前記画素
の発光輝度に前記輝度データに相対した発光輝度で発光させるデータ信号を出力するデータ信号生成手段と
を備えた表示装置において、
前記表示パネル中に、同一の前記輝度データに対してホワイトバランス調整輝度より大きい調整輝度で発光する領域が少なくとも１以上存在するように、前記領域の各画素の発光素子を発光させるための制御手段を備えたことを特徴とする表示装置。
【請求項１０】
請求項９に記載の表示装置において、
前記制御手段は、
前記領域の各画素の発光素子に対する前記輝度データに付加された輝度変換データを抽出する抽出手段と、
前記抽出した輝度変換データに基づいて前記領域の各画素の発光素子の前記輝度データを、前記輝度データに対する発光輝度より大きい発光輝度で発光させる新たな輝度データに変換し前記データ信号生成手段に出力するデータ変換手段と
を備えたことを特徴とする表示装置。
【請求項１１】
請求項９に記載の表示装置において、
前記制御手段は、
前記外部装置から出力される輝度データの同期信号をカウントする計数手段と、
前記計数手段のカウント値に基づいて、前記同期信号とともに出力される輝度データが、前記領域の各画素の発光素子のための輝度データかを判定する判定手段と、
前記判定手段が前記領域の各画素の発光素子のための輝度データと判定したとき、前記輝度データに対する発光輝度より大きい発光輝度で発光させる新たな輝度データを出力する輝度データ生成手段と、
前記判定手段が前記領域の各画素の発光素子のための輝度データと判定したとき、前記外部装置からの輝度データに代えて、前記輝度データ生成手段から出力された前記新たな輝度データを選択して前記データ信号生成手段に出力する輝度データ選択手段と
を備えていることを特徴とする表示装置。
【請求項１２】
請求項９〜１１のいずれか一つに記載の表示装置において、
前記領域は、単色の表示が行われる単色表示領域であることを特徴とする表示装置。
【請求項１３】
請求項９〜１２のいずれか一つに記載の表示装置において、
前記表示パネルに表示される画像は、車両の車両情報を報知する車両情報画像であることを特徴とする表示装置。
【請求項１４】
請求項９〜１３のいずれか一つに記載の表示装置において、
前記発光素子は、エレクトロルミネッセンス素子であることを特徴とする表示装置。
【請求項１５】
請求項１４に記載の表示装置において、
前記エレクトロルミネッセンス素子は、有機エレクトロルミネッセンス素子であることを特徴とする表示装置。
【請求項１６】
請求項９〜１５のいずれか一つに記載の表示装置を備えたことを特徴とする電子機器。
【発明の詳細な説明】
【技術分野】
【０００１】
本発明は、表示装置の表示方法、表示装置及び電子機器に関する。
【背景技術】
【０００２】
近年、有機エレクトロルミネッセンス（以下、「有機ＥＬ」という）素子を用いた有機ＥＬパネルが、軽量、高輝度、高視野角、高コントラスト比で他の表示装置より優れているとして注目されている（例えば、特許文献１参照）。こうした有機ＥＬパネルを用いた有機ＥＬ表示装置が知られている。ところで、有機ＥＬ表示装置は、各メーカ毎に又は使用目的等、それぞれ特徴を出すために独自のホワイトバランスに設定されて出荷されている。そのため、出荷前には、ホワイトバランスの調整が行われている。
【０００３】
ホワイトバランスは、赤色の光を出射する赤用発光素子、緑色の光を出射する緑用発光素子及び青色の光を出射する青用発光素子の発光輝度の輝度比で決まる。一般に、各色の発光素子に供給する電源電圧を調整することによって輝度比を調整するが、その供給する電源電圧は、その輝度比に相対して一義的に決まらない。各色の発光素子毎に発光特性が異なるので、その発光特性を考慮して各色の発光素子に供給する電源電圧を設定している。このとき、あわせて、最大発光輝度（例えば、１００カンデラ）を考慮して各色の発光素子に供給する電源電圧を設定している。
【特許文献１】特開２００４−１２７９２４号公報
【発明の開示】
【発明が解決しようとする課題】
【０００４】
ところで、前記赤用、緑用、青用発光素子が形成された表示パネルを備えた表示装置において、前記各色の発光素子の最大発光輝度は、ホワイトバランスで設定した時の電源電圧で決まってしまう。ホワイトバランスを調整した結果、例えば、緑色の光の輝度が他の赤、青色の光の輝度比が小さいと、緑単色で発光表示させる場合、その最大発光輝度は、他の赤、青色の光の最大発光輝度より小さくなってしまう。つまり、高輝度で発光する能力があるにも関わらずそれ以上の発光輝度で発光させることはできなかった。
【０００５】
従って、例えば、通常時には、通常の輝度でフルカラーの画像表示をして、特殊時には、例えば、緑単色でしかも高輝度で画像表示したい場合、緑単色の高輝度表示をすることには限界があった。また、表示パネル中にある領域ではフルカラー表示を、他の領域で単色の高輝度表示をすることも限界があった。
【０００６】
本発明は上記問題点を解決するためになされたものであって、その目的は、各色の光を出射する発光素子を有する画素が配置された表示パネルを備えた表示装置において、ホワイトバランスで個々の色の最大発光輝度が制限されていても、ホワイトバランス調整輝度より大きい発光輝度で表示を行うことができるとともに、画像の表示態様を増やし表示装置の用途を広げることができる表示装置の表示方法、表示装置及び電子機器を提供することにある。
【課題を解決するための手段】
【０００７】
本発明の表示装置の表示方法は、複数の走査線と複数のデータ線との交差部に対応した各位置に、フルカラー表示のための各色の光を出射する発光素子を有する画素が形成された表示パネルに対して、外部装置から前記画素に対する輝度データに基づいて前記データ線を介して前記画素に供給するデータ信号を生成し、前記画素の発光素子を、前記データ信号に基づいて、発光させるようにした表示装置の駆動方法において、前記表示パネル中
に、同一の前記輝度データに対してホワイトバランス調整輝度より大きい調整輝度で発光する領域が少なくとも１以上存在するように、前記領域の各画素の発光素子を発光させるようにした。
【０００８】
これによれば、フルカラー表示のための各色の光を出射する発光素子を有する画素が形成された表示パネル中に、同一の前記輝度データに対してホワイトバランス調整輝度より大きい調整輝度で発光する領域を形成することができる。この結果、画像の表示態様を増やし表示装置の用途を広げることができる。
【０００９】
この表示装置の駆動方法において、前記外部装置からの輝度データに輝度変換データを付加し、前記付加した輝度変換データに基づいて前記輝度データを、新たな輝度変換データに変換し、前記新たな輝度データに基づいて前記領域の各画素の発光輝度を発光させるようにしてもよい。
【００１０】
これによれば、表示パネル中の所定の領域の各画素の発光素子に対する輝度データは、各色の光を出射する発光素子毎に予め設定されたホワイトバランス調整輝度より大きい発光輝度で発光させるための新たな輝度データに変換される。そして、その領域の各画素の発光素子は、その新たな輝度データに基づいた輝度で発光する。従って、上記所定の領域の各画素の発光素子を、予め設定されたホワイトバランス調整輝度に制限されることなく大きな発光輝度で発光させることができる。この結果、画像の表示態様を増やし表示装置の用途を広げることができる。
【００１１】
この表示装置の駆動方法において、前記外部装置から出力される輝度データが、前記領域の各画素の発光素子のための輝度データかを判定し、前記領域の各画素の発光素子のための輝度データと判定したとき、前記輝度データに対する発光輝度より大きい発光輝度で発光させるための新たな輝度データに変更し、前記新たな輝度データに基づいて前記領域の各画素の発光素子を発光させるようにしてもよい。
【００１２】
これによれば、外部装置から出力される輝度データが、ホワイトバランス調整輝度より大きい調整輝度で発光する領域の各画素の発光素子のための輝度データかを判定することにより、外部装置から出力される輝度データ自体に、前記新たな輝度データに変更させるためのデータを付加するといった加工をする必要はない。この結果、既存の外部装置を使用することができる。
【００１３】
この表示装置の駆動方法において、各色の光を出射する発光素子の各々に供給する電源電圧は、予め設定したホワイトバランスのための輝度比で決まる電源電圧より大きな電源電圧であってもよい。
【００１４】
これによれば、各発光素子には、ホワイトバランスのための輝度比で決まる電源電圧より大きな電源電圧が供給されているので、発光素子に前記ホワイトバランス調整輝度よりも大きい発光輝度で発光させるためのデータ信号が供給された場合であっても、発光素子に供給される電流（駆動電流）が飽和することはない。この結果、発光素子をホワイトバランス調整輝度よりも大きい発光輝度で発光させることができる。
【００１５】
この表示装置の駆動方法において、前記領域は、単色の表示が行われる単色表示領域であってもよい。
これによれば、ホワイトバランス調整輝度より大きい調整輝度で発光する領域に表示される画像は、単色の画像になる。
【００１６】
この表示装置の駆動方法において、前記表示パネルに表示される画像は、車両の車両情
報を報知する車両情報画像であってもよい。
これによれば、前記領域の発光素子を、たとえば、車両の左右方向指示表示灯やシートベルト表示灯といった、所謂特殊マークの表示に使用することによって、その特殊マークを、ホワイトバランス調整輝度より大きい調整輝度で発光させることができる。この結果、画像の表示態様を増やし表示装置の用途を広げることができることにより、特殊マークの視認性を高め、車両を運転する運転者に対してその特殊マークの表示を確実に視認させることが可能となる。
【００１７】
この表示装置の駆動方法において、前記発光素子は、エレクトロルミネッセンス素子であってもよい。
これによれば、発光素子としてエレクトロルミネッセンス素子を備えた表示装置において、表示パネル中の前記領域の発光素子を、ホワイトバランス調整輝度より大きい調整輝度で発光させることができる。
【００１８】
この表示装置の駆動方法において、前記エレクトロルミネッセンス素子は、有機エレクトロルミネッセンス素子であってもよい。
これによれば、発光素子として有機エレクトロルミネッセンス素子を備えた表示装置において、表示パネル中の前記領域の発光素子を、ホワイトバランス調整輝度より大きい調整輝度で発光させることができる。また、発光素子を有機エレクトロルミネッセンス素子とすることで、有機エレクトロルミネッセンス素子を、所謂インクジェット法を使用して形成することができる。従って、スピンコート法といった他の方法を使用して形成するようにした場合に比べて、前記有機エレクトロルミネッセンス素子を形成するための材料（有機材料）の使用量を抑えることができる。この結果、表示装置の製造コストが高くなるのを抑えることができる。
【００１９】
本発明の表示装置は、複数の走査線と複数のデータ線との交差部に対応した各位置に、フルカラー表示の各色の光を出射する発光素子を有する画素が形成された表示パネルと、前記各色の光を出射する各発光素子の発光輝度比を設定する輝度比設定手段と、外部装置からの前記画素に対する輝度データに基づいて前記データ線を介して前記画素の発光輝度に前記輝度データに相対した発光輝度で発光させるデータ信号を出力するデータ信号生成手段とを備えた表示装置において、前記表示パネル中に、同一の前記輝度データに対してホワイトバランス調整輝度より大きい調整輝度で発光する領域が少なくとも１以上存在するように、前記領域の各画素の発光素子を発光させるための制御手段を備えた。
【００２０】
これによれば、フルカラー表示のための各色の光を出射する発光素子を有する画素が形成された表示パネル中に、同一の前記輝度データに対してホワイトバランス調整輝度より大きい調整輝度で発光する領域を形成することができる。この結果、画像の表示態様を増やし表示装置の用途を広げることができる。
【００２１】
この表示装置において、前記制御手段は、前記領域の各画素の発光素子に対する前記輝度データに付加された輝度変換データを抽出する抽出手段と、前記抽出した輝度変換データに基づいて前記領域の各画素の発光素子の前記輝度データを、前記輝度データに対する発光輝度より大きい発光輝度で発光させる新たな輝度データに変換し前記データ信号生成手段に出力するデータ変換手段とを備えてもよい。
【００２２】
これによれば、表示パネル中の所定の領域の各画素の発光素子に対する輝度データは、各色の光を出射する発光素子毎に予め設定されたホワイトバランス調整輝度より大きい発光輝度で発光させるための新たな輝度データに変換される。そして、その領域の各画素の発光素子は、その新たな輝度データに基づいた輝度で発光する。従って、上記所定の領域の各画素の発光素子を、予め設定されたホワイトバランス調整輝度に制限されることなく
大きな発光輝度で発光させることができる。この結果、画像の表示態様を増やし表示装置の用途を広げることができる。
【００２３】
この表示装置において、前記制御手段は、前記外部装置から出力される輝度データの同期信号をカウントする計数手段と、前記計数手段のカウント値に基づいて、前記同期信号とともに出力される輝度データが、前記領域の各画素の発光素子のための輝度データかを判定する判定手段と、前記判定手段が前記領域の各画素の発光素子のための輝度データと判定したとき、前記輝度データに対する発光輝度より大きい発光輝度で発光させる新たな輝度データを出力する輝度データ生成手段と、前記判定手段が前記領域の各画素の発光素子のための輝度データと判定したとき、前記外部装置からの輝度データに代えて、前記輝度データ生成手段から出力された前記新たな輝度データを選択して前記データ信号生成手段に出力する輝度データ選択手段とを備えていてもよい。
【００２４】
これによれば、外部装置から出力される輝度データが、ホワイトバランス調整輝度より大きい調整輝度で発光する領域の各画素の発光素子のための輝度データかを判定することにより、外部装置から出力される輝度データ自体に、前記新たな輝度データに変更させるためのデータを付加するといった加工をする必要はない。この結果、既存の外部装置を使用することができる。
【００２５】
この表示装置において、前記領域は、単色の表示が行われる単色表示領域であってもよい。
これによれば、ホワイトバランス調整輝度より大きい調整輝度で発光する領域に表示される画像は、単色の画像になる。
【００２６】
この表示装置において、前記表示パネルに表示される画像は、車両の車両情報を報知する車両情報画像であってもよい。
これによれば、前記領域の発光素子を、たとえば、車両の左右方向指示表示灯やシートベルト表示灯といった、所謂特殊マークの表示に使用することによって、その特殊マークを、ホワイトバランス調整輝度より大きい調整輝度で発光させることができる。この結果、画像の表示態様を増やし表示装置の用途を広げることができることにより、特殊マークの視認性を高め、車両を運転する運転者に対してその特殊マークの表示を確実に視認させることが可能となる。
【００２７】
この表示装置において、前記発光素子は、エレクトロルミネッセンス素子であってもよい。
これによれば、発光素子としてエレクトロルミネッセンス素子を備えた表示装置において、表示パネル中の前記領域の発光素子を、ホワイトバランス調整輝度より大きい調整輝度で発光させることができる。
【００２８】
この表示装置において、前記エレクトロルミネッセンス素子は、有機エレクトロルミネッセンス素子であってもよい。
これによれば、発光素子として有機エレクトロルミネッセンス素子を備えた表示装置において、表示パネル中の前記領域の発光素子を、ホワイトバランス調整輝度より大きい調整輝度で発光させることができる。また、発光素子を有機エレクトロルミネッセンス素子とすることで、有機エレクトロルミネッセンス素子を、所謂インクジェット法を使用して形成することができる。従って、スピンコート法といった他の方法を使用して形成するようにした場合に比べて、前記有機エレクトロルミネッセンス素子を形成するための材料（有機材料）の使用量を抑えることができる。この結果、表示装置の製造コストが高くなるのを抑えることができる。
【００２９】
本発明の電子機器は上記記載の表示装置を備えている。
これによれば、各色の光を出射する発光素子を有する画素が配置された表示パネルに、ホワイトバランス調整輝度より大きい発光輝度で発光させることができる表示装置を備えた電子機器を提供することができる。
【発明を実施するための最良の形態】
【００３０】
（第１実施形態）
以下、本発明を車載用表示装置に具体化した第１実施形態を、図面に従って説明する。
図１に示すように、本実施形態の車載用表示装置（以下、単に「表示装置」という）１は、車両Ｃの電子機器としてのインストルメントパネルＷに搭載されている。表示装置１は、その表示エリアＨに車両Ｃの運転状態に関する情報を運転者に報知するための画面Ｆを表示する。
【００３１】
図２に示すように、画面Ｆには、その表示エリアＨの中央に車速を表す車両情報画像としてのスピードメータ画像Ｆ１やその周囲に各種特殊マーク表示Ｆ２が表示される。スピードメータ画像Ｆ１には、「０」、「２０」、「４０」、…、「１８０」の車両Ｃの車速を示す数値Ｍａが所定の間隔で表示される。また、スピードメータ画像Ｆ１には、各数値Ｍａに囲まれる位置に指針Ｍｂが表示される。指針Ｍｂは、その時々の車両Ｃの車速に応じて、その基端部Ｍｃを回動中心に回動表示されてその時々の車速を指標するようになっている。
【００３２】
各種特殊マーク表示Ｆ２は、スピードメータ画像Ｆ１の指針Ｍｂのように、その時々で表示位置が変化する、所謂動画画像ではなく、単色で点灯若しくは消灯される画像であって、例えば、左右方向指示表示灯Ｆ2a，Ｆ2bやシートベルト表示灯Ｆ2cである。因みに、左方向指示表示灯Ｆ2aは、表示エリアＨ中の左上端部に配置され、右方向指示表示灯Ｆ2aは、表示エリアＨ中の右上端部に配置されている。また、シートベルト表示灯Ｆ2cは、表示エリアＨ中の右下端部に配置されている。さらに、左右方向指示表示灯Ｆ2a，Ｆ2b及びシートベルト表示灯Ｆ2cは、緑色単色で表示される。
【００３３】
そして、本実施形態では、スピードメータ画像Ｆ１は、その発光輝度が動画のための輝度表示モードであって、予め定めたホワイトバランス調整輝度に基づいた発光輝度で各有機ＥＬ素子９Ｒ，９Ｇ，９Ｂ（各画素８Ｒ，８Ｇ，８Ｂ）が発光する（第１輝度表示モード）。これに対して、各種特殊マーク表示Ｆ２は、その発光輝度が点灯・点滅表示のための輝度表示モードである。そして、各種特殊マーク表示Ｆ２は、スピードメータ画像Ｆ１での発光輝度（各有機ＥＬ素子９Ｒ，９Ｇ，９Ｂ（各画素８Ｒ，８Ｇ，８Ｂ）のそれぞれの発光輝度）より大きい発光輝度で有機ＥＬ素子９Ｒ，９Ｇ，９Ｂ（各画素８Ｒ，８Ｇ，８Ｂ）のいずれかが単独で発光する（第２輝度表示モード）。つまり、表示装置１の表示エリアＨには、第１輝度表示モードでスピードメータ画像Ｆ１を表示する画素領域と第２輝度表示モードで特殊マーク表示Ｆ２を表示する特定領域（単色表示領域）としての画素領域が併存する。
【００３４】
図３に示すように、表示装置１の表示パネル部２は、表示パネル４を備えている。表示パネル４は、その略中央に前記した表示エリアＨが区画形成されている。表示エリアＨには、行方向（図３中Ｘ矢印方向）にｎ本の走査線ＬＹ１〜ＬＹｎが形成されているとともに、各走査線ＬＹ１〜ＬＹｎと交差するように列方向（図３中Ｙ矢印方向）にｍ本のデータ線ＬＸ１〜ＬＸｍが形成されている。また、表示エリアＨには、データ線ＬＸ1〜ＬＸmに平行に赤用、緑用及び青用電源線ＬoR，ＬoG，ＬoBが形成されている。
【００３５】
さらに、表示エリアＨは、各走査線ＬＹ1〜ＬＹnとデータ線ＬＸ1〜ＬＸmとの交差部に対応した位置に、赤色の光を出射する赤用画素８Ｒ、緑色の光を出射する緑用画素８Ｇ、
及び青色の光を出射する青用画素８Ｂを備えている。つまり、一つの赤、緑及び青用画素８Ｒ，８Ｇ，８Ｂが１組となって、その１組を１つのカラー画素８となる。
【００３６】
図４は、表示エリアＨに形成された１つのカラー画素８を構成する各画素８Ｒ，８Ｇ，８Ｂの電気的構成を示す回路図である。図４において、各赤、緑及び青用画素８Ｒ，８Ｇ，８Ｂは、発光層が高分子有機材料で構成された発光素子としての有機ＥＬ素子９Ｒ，９Ｇ，９Ｂを有している。詳述すると、赤用画素８Ｒは赤色の光を放射する赤用有機ＥＬ素子９Ｒを有している。緑用画素８Ｇは緑色の光を放射する緑用有機ＥＬ素子９Ｇを有している。青用画素８Ｂは青色の光を放射する青用有機ＥＬ素子９Ｂを有している。尚、本実施形態では、前記発光層を構成する高分子有機材料を所定の溶媒に溶解した液状体を作成し、それを液滴化（インク化）して所定の位置に吐出することで前記発光層を形成するようにした、所謂インクジェット法を使用して形成している。
【００３７】
また、各画素８Ｒ，８Ｇ，８Ｂには、駆動トランジスタＱｄ、スイッチングトランジスタＱｓｗ及び保持キャパシタＣ１を備えている。駆動トランジスタＱｄ及びスイッチングトランジスタＱｓｗはＮチャネルＴＦＴより構成されている。
【００３８】
各画素８Ｒ，８Ｇ，８Ｂの駆動トランジスタＱｄは、ソースが前記有機ＥＬ素子９Ｒ，９Ｇ，９Ｂの陽極に接続され、ドレインが対応する赤用電源線ＬｏＲ、緑用電源線ＬｏＧ及び青用電源線ＬｏＢに接続されている。
【００３９】
駆動トランジスタＱｄのゲートと各電源線ＬｏＲ，ＬｏＧ，ＬｏＢとの間には、保持キャパシタＣ１が接続されている。スイッチングトランジスタＱｓｗのゲートは、対応する走査線ＬＹ１〜ＬＹｎにそれぞれ接続されている。また、スイッチングトランジスタＱｓｗは、ドレインがデータ線ＬＸ１〜ＬＸｍに接続され、ソースが駆動トランジスタＱｄのゲート及び保持キャパシタＣ１に接続されている。赤用画素８ＲのスイッチングトランジスタＱｓｗは第１データ線ＬＸ１，第４データ線ＬＸ４，…，第ｍ−２データ線ＬＸｍ−２に接続されている。また、緑用画素８ＧのスイッチングトランジスタＱｓｗは第２データ線ＬＸ２，第５データ線ＬＸ５，…，第ｍ−１データ線ＬＸｍ−１に接続されている。さらに、青用画素８ＢのスイッチングトランジスタＱｓｗは第３データ線ＬＸ３，第６データ線ＬＸ６，…，第ｍデータ線ＬＸｍに接続されている。
【００４０】
そして、図３に示すように、データ線ＬＸ１〜ＬＸｍのうち、第１データ線ＬＸ１，第４データ線ＬＸ４，…，第ｍ−２データ線ＬＸｍ−２は、後記する赤用データ信号ＤＸ１，ＤＸ４，…，ＤＸｍ−２が供給される。また、第２データ線ＬＸ２，第５データ線ＬＸ５，…，第ｍ−１データ線ＬＸｍ−１は、後記する緑用データ信号ＤＸ２，ＤＸ５，…，ＤＸｍ−１が供給される。さらに、第３データ線ＬＸ３，第６データ線ＬＸ６，…，第ｍデータ線ＬＸｍは、後記する青用データ信号ＤＸ３，ＤＸ６，…，ＤＸｍが供給される。
【００４１】
各電源線ＬoR，ＬoG，ＬoBには、第１電源電圧ＶＲ，第２電源電圧ＶＧ，第３電源電圧ＶＢが独立して供給されるようになっている。そして、赤用電源線ＬoRは、赤用画素８Ｒに第１電源電圧ＶＲを供給し、緑用電源線ＬoGは緑用画素８Ｇに第２電源電圧ＶＧを供給し、青用電源線ＬoBは青用画素８Ｂに第３電源電圧ＶＢを供給する。
【００４２】
尚、各赤用電源線ＬoRに供給する第１電源電圧ＶＲ、各緑用電源線ＬoGに供給する第２電源電圧ＶＧ、各青用電源線ＬoBに供給する第３電源電圧ＶＢは、第１輝度表示モードで設定されたホワイトバランスにおける電圧値よりも大きな値に設定している。つまり、第２輝度表示モードで各有機ＥＬ素子９Ｒ，９Ｇ，９Ｂを発光させる際に、第２輝度表示モードでの輝度データに相対して発光素子９に流れる電流値が飽和しない大きさに設定している。言い換えると、第１〜第３電源電圧ＶＲ，ＶＧ，ＶＢは、第１輝度表示モードでの
輝度データに対するホワイトバランスを考慮しつつ、第２輝度表示モードでの輝度データに対する高輝度単色表示が可能な電圧値に設定されている。
【００４３】
次に、表示装置１の電気的構成を、図５に従って説明する。
表示装置１は、パネルモジュールＰＡとパネル制御部ＰＢとを備えている。
パネルモジュールＰＡは、表示パネル部２、走査線駆動回路１１、データ信号生成手段としてのデータ線駆動回路１２を備えている。
【００４４】
走査線駆動回路１１は、走査線ＬＹ１〜ＬＹｎに接続されている。各走査線駆動回路１１は、各走査線ＬＹ１〜ＬＹｎを１本ずつ、例えば、第１走査線ＬＹ１→第２走査線ＬＹ２→…→第ｎ走査線ＬＹｎ→第１走査線ＬＹ１→…の順に選択する走査信号を生成する。これにより、表示エリアＨ上の各画素８を、その行方向に沿って配置された複数の画素８毎に順次選択動作させる。
【００４５】
データ線駆動回路１２は、表示エリアＨ内に形成されたデータ線ＬＸ１〜ＬＸｍに接続されている。図６に示すように、データ線駆動回路１２は、その内部にデータ線ＬＸ１〜ＬＸｍの数だけ、即ち、ｍ個のデジタル・アナログ変換回路（以下、ＤＡ変換回路という）１２a1，１２a2，１２a3，…，１２amを備えている。各ＤＡ変換回路１２a1〜１２amは、公知のデジタル・アナログ変換回路であって、本実施形態では１１ビットの電流出力型デジタル・アナログ変換回路である。各ＤＡ変換回路１２a1〜１２amには、１１ビットの各ビット値に対応した重み付けがなされた電流を出力する１１個の図示しない電流源を内蔵している。
【００４６】
また、ＤＡ変換回路１２a1〜１２amは、赤、緑及び青用変換ビデオデータRVD，GVD，BVD及び赤、緑及び青用基準電圧ＥＲ，ＥＧ，ＥＢを入力する。赤用変換ビデオデータ（以
下、赤用ビデオデータという）RVDは、赤用画素８Ｒに対応したＤＡ変換回路１２a1，１
２a4，…に供給されるようになっている。この赤用ビデオデータRVDは、１１ビットのビ
ットデータであって、各ビット値に応じてＤＡ変換回路１２a1，１２a4，…内にそれぞれ設けられた１１個の各電流源をオン・オフ制御する。そして、オンされた電流源から出力された電流の総和が赤用データ信号ＤＸ１，ＤＸ４，…となり、対応するデータ線ＬＸ１，ＬＸ４，…に出力される。
【００４７】
同様に、緑用変換ビデオデータ（以下、緑用ビデオデータという）GVDは、緑用画素８
Ｇに対応したＤＡ変換回路１２a2，１２a5，…に供給されるようになっている。この緑用ビデオデータGVDは、１１ビットのビットデータであって、各ビット値に応じてＤＡ変換
回路１２a2，１２a5，…内に設けられた前記１１個の各電流源をオン・オフ制御する。そして、オンされた電流源から出力された電流の総和が緑用データ信号ＤＸ２，ＤＸ５，…となり、対応するデータ線ＬＸ２，ＬＸ５，…に出力される。
【００４８】
また同様に、青用変換ビデオデータ（以下、青用ビデオデータという）BVDは、青用画
素８Ｂに対応したＤＡ変換回路１２a3，１２a6，…，１２aｍに供給されるようになって
いる。この青用ビデオデータBVDは、１１ビットのデジタルデータであって、各ビット値
に応じてＤＡ変換回路１２a3，１２a6，…，１２aｍ内に設けられた前記１１個の各電流
源をオン・オフ制御する。そして、オンされた電流源から出力された電流の総和が青用データ信号ＤＸ３，ＤＸ６，…，ＤＸｍとなり、対応するデータ線ＬＸ３，ＬＸ６，…，ＬＸｍに出力される。
【００４９】
因みに、本実施形態では、各ビデオデータRVD，GVD，BVDは、第１輝度表示モードで各
赤、緑及び青用有機ＥＬ素子９Ｒ，９Ｇ，９Ｂを発光させる場合には、１１ビットのビットデータのうち、下位８ビットのビットデータで発光制御されるようになっている。また
、第２輝度表示モードで各赤、緑及び青用有機ＥＬ素子９Ｒ，９Ｇ，９Ｂを発光させる場合には、１１ビットのビットデータで発光制御されるようになっている。
【００５０】
赤、緑及び青用基準電圧ＥＲ，ＥＧ，ＥＢは、各ＤＡ変換回路１２a1〜１２amにて生成されるデータ信号ＤＸ１〜ＤＸｍの基準値を決めるための電圧である。赤用基準電圧ＥＲは、その赤用データ信号ＤＸ１，ＤＸ４，…を生成するＤＡ変換回路１２a1，１２a4，…に供給される。緑用基準電圧ＥＧは、その緑用データ信号ＤＸ２，ＤＸ５，…を生成するＤＡ変換回路１２a2，１２a5，…に供給される。青用基準電圧ＥＢは、その青用データ信号ＤＸ３，ＤＸ６，…，ＤＸｍを生成するＤＡ変換回路１２a3，１２a6，…１２aｍに供
給されるようになっている。
【００５１】
図５に示すように、パネル制御部ＰＢは、ＥＥＰＲＯＭ１５、パネル制御回路１６、制御手段、データ変換手段及び抽出手段としてのデータ演算回路部１７、基準電圧生成回路１８、輝度比設定手段としての電源回路１９を備えている。
【００５２】
ＥＥＰＲＯＭ１５は、前記赤、緑及び青用基準電圧ＥＲ，ＥＧ，ＥＢを作成するための様々な基準電圧設定データＤＥＲ，ＤＥＧ，ＤＥＢを格納している。
パネル制御回路１６は、制御データに従ってＥＥＰＲＯＭ１５から所定の基準電圧設定データＤＥＲ，ＤＥＧ，ＤＥＢを抽出し、基準電圧生成回路１８に出力する。この制御データは、車両Ｃの運転状態に応じて、図示しない入力手段から入力されるデータであって、例えば、夜間時に走行している場合であって、運転者が画面Ｆを全体的に明るくしたいとき、運転者が入力手段を操作することによって入力される。
【００５３】
基準電圧生成回路１８は、パネル制御回路１６によって抽出された基準電圧設定データＤＥＲ，ＤＥＧ，ＤＥＢをアナログ変換して、赤、緑及び青用基準電圧ＥＲ，ＥＧ，ＥＢを作成する。そして、基準電圧生成回路１８は、赤、緑及び青用基準電圧ＥＲ，ＥＧ，ＥＢを、データ線駆動回路１２に出力する。
【００５４】
データ演算回路部１７は、表示装置１の外部に設けられた外部装置ＧＳからビデオデータＤ、データクロックDCLC及びフレームクロックFCLCを入力する。
ビデオデータＤは、図２に示すように、表示装置１の表示エリアＨに、スピードメータ画像Ｆ１と特殊マーク表示Ｆ２を表示するためのデータである。図７に、ビデオデータＤであって、１つの画素８Ｒ，８Ｇ，８Ｂ（赤、緑及び青用有機ＥＬ素子９Ｒ，９Ｇ，９Ｂ）のためのデータ構造を示す。図７において、ビデオデータＤは、１０ビットで構成され、下位８ビットのビット値「Ａ８，Ａ７，Ａ６，Ａ５，Ａ４，Ａ３，Ａ２，Ａ１」が輝度データＤａに、上位２ビットのビット値「Ｂ２，Ｂ１」が輝度モードデータＤｂに割り当てられている。つまり、ビデオデータＤは、８ビットの輝度データＤａに２ビットの輝度モードデータＤｂが付加されたデータである。
【００５５】
８ビットの輝度データＤａは、通常の輝度表示、本実施形態では第１輝度表示モードで画素８Ｒ，８Ｇ，８Ｂ（赤、緑及び青用ＥＬ素子９Ｒ，９Ｇ，９Ｂ）を発光させる通常の発光輝度データである。輝度モードデータＤｂのビット値「Ｂ２，Ｂ１」は、第１輝度表示モードまたは第２輝度表示モードで画素８Ｒ，８Ｇ，８Ｂ（赤、緑及び青用ＥＬ素子９Ｒ，９Ｇ，９Ｂ）を発光させるかどうかを決定するとともに、第２輝度表示モードの場合には、３種類の高輝度モードのうち１つを決定するモードデータである。本実施形態では、２ビットの輝度モードデータＤｂは、第１輝度表示モードのとき「０，０」に、第２輝度表示モードであって第１高輝度モードのとき「０，１」に、第２輝度表示モードであって第２高輝度モードのとき「１，０」に、第２輝度表示モードであって第３高輝度モードのとき「１，１」としている。
【００５６】
本実施形態では、図２に示す表示エリアＨにおいては、スピードメータ画像Ｆ１を表示する領域に属する各画素８Ｒ，８Ｇ，８ＢのビデオデータＤは、第１輝度表示モードのための輝度モードデータＤｂが設定されている。また、特殊マーク表示Ｆ２を表示する領域に属する各画素８Ｒ，８Ｇ，８ＢのビデオデータＤは、第２輝度表示モード（第１、第２または第３高輝度モード）のための輝度モードデータＤｂが設定されている。
【００５７】
データクロックDCLCは、１つの画素８のビデオデータＤが入力されたことを認識するための同期信号である。フレームクロックFCLCは、連続して入力するビデオデータＤを１フレーム毎に区分けすることを認識するための信号である。
【００５８】
データ演算回路部１７は、データクロックDCLCに同期して入力される各画素８Ｒ，８Ｇ，８Ｂのための１０ビットのビデオデータＤの上位２ビットの輝度モードデータＤｂを抽出して表示モードを判定する。そして、データ演算回路部１７は、輝度モードデータＤｂに応じて下位８ビットの輝度データＤａを図８に示すように変換して１１ビットの変換ビデオデータRVD，GVD，BVDとしてデータ線駆動回路１２のＤＡ変換回路１２a1〜１２amに
出力する。
【００５９】
すなわち、図８に示すように、輝度モードデータＤｂが「０，０」のとき（第１輝度表示モード）、下位８ビットの輝度データＤａをそのまま下位８ビットとして上位３ビットを「０，０，０」にした変換ビデオデータRVD，GVD，BVDとして出力する。
【００６０】
また、輝度モードデータＤｂが「０，１」のとき（第１高輝度モード）、下位８ビットの輝度データＤａを１ビット上位にシフトして上位２ビットを「０，０」、下位１ビットを「０」にした変換ビデオデータ（第１変換ビデオデータ）RVD，GVD，BVDに変換される
。
【００６１】
さらに、輝度モードデータＤｂが「１，０」のとき（第２高輝度モード）、下位８ビットの輝度データＤａを２ビット上位にシフトして上位１ビットを「０」、下位２ビットを「０，０」にした変換ビデオデータ（第２変換ビデオデータ）RVD，GVD，BVDを出力する
。従って、第２高輝度モードの場合、輝度データＤａは、第１高輝度モードよりも大きい発光輝度となる変換ビデオデータRVD，GVD，BVDに変換される。
【００６２】
さらにまた、輝度モードデータＤｂが「１，１」のとき（第３高輝度モード）、下位８ビットの輝度データＤａを３ビット上位にシフトして下位３ビットを「０，０，０」にした変換ビデオデータ（第３変換ビデオデータ）RVD，GVD，BVDを出力する。従って、第３
高輝度モードの場合、輝度データＤａは、第２高輝度モードよりも大きい発光輝度となる変換ビデオデータRVD，GVD，BVDに変換される。
【００６３】
また、データ演算回路部１７は、データクロックDCLC及びフレームクロックFCLCをパネル制御回路１６に出力する。すると、パネル制御回路１６は、データ演算回路部１７からのデータクロックDCLC及びフレームクロックFCLCに基づいて、走査線駆動回路１１及びデータ線駆動回路１２に駆動信号を出力する。即ち、走査線駆動回路１１には、走査線駆動回路１１が各走査線ＬＹ１〜ＬＹｎを順次選択動作するための走査線駆動信号が出力される。データ線駆動回路１２には、データ線駆動回路１２の各ＤＡ変換回路１２a1〜１２amに変換ビデオデータRVD，GVD，BVDを順番に出力するとともに、各ＤＡ変換回路１２a1〜
１２amから一斉にデータ信号ＤＸ１〜ＤＸｍを出力させるためのデータ線駆動信号が出力される。
【００６４】
電源回路１９は、図示しない外部電源部から外部電源Ｖｉｎを入力する。電源回路１９は、その入力した外部電源Ｖｉｎに基づいて第１〜第３電源電圧ＶＲ，ＶＧ，ＶＢを生成
する。電源回路１９は、第１輝度表示モードでの輝度データに対するホワイトバランスを考慮しつつ、第２輝度表示モードでの輝度データに対する高輝度単色表示が可能な第１〜第３電源電圧ＶＲ，ＶＧ，ＶＢを生成する。本実施形態の電源回路１９は、第１輝度表示モードでの輝度データに対する各有機ＥＬ素子９Ｒ，９Ｇ，９Ｂのホワイトバランス調整輝度より少なくとも４倍大きい発光輝度で発光させても各有機ＥＬ素子９Ｒ，９Ｇ，９Ｂに流れる駆動電流が飽和しない第１〜第３電源電圧ＶＲ，ＶＧ，ＶＢを生成するように予め設定されている。そして、電源回路１９は、生成した第１、第２及び第３電源電圧ＶＲ，ＶＧ，ＶＢを表示パネル部２に出力する。
【００６５】
次に、表示装置１の作用を、図９に示すデータ演算回路部１７の作用を示すフローチャートに従って説明する。
いま、運転席にあるキーシリンダに運転キーを差込み、エンジンを始動させると表示装置１に電源が投入される。すると、データ演算回路部１７は、パネル制御回路１６に対してデータ線駆動回路１２に赤、緑及び青用基準電圧ＥＲ，ＥＧ，ＥＢを供給するように要求する。パネル制御回路１６は、データ演算回路部１７からの要求に基づいて基準電圧生成回路１８からデータ線駆動回路１２に赤、緑及び青用基準電圧ＥＲ，ＥＧ，ＥＢを供給させると、その旨の応答信号をデータ演算回路部１７に出力する。また、データ演算回路部１７は、外部装置ＧＳからのデータクロックDCLCに同期してビデオデータＤを入力して表示装置１の表示エリアＨに図２に示す画面Ｆを表示するための信号処理を開始する（ステップＳ１−１、Ｓ１−２）。また、このとき、電源回路１９が第１〜第３電源電圧ＶＲ，ＶＧ，ＶＢを作成し、表示パネル部２に出力する。
【００６６】
そして、データ演算回路部１７は、１画素分のビデオデータＤを取り込むと、輝度モードデータＤｂを読み出す。そして、輝度モードデータＤｂが「０，０」のとき、データ演算回路部１７は、輝度データＤａを通常変換ビデオデータRVD，GVD，BVDとしてデータ線
駆動回路１２に出力する（ステップＳ１−４）。また、輝度モードデータＤｂが「０，１」のとき、データ演算回路部１７は、輝度データＤａを第１変換ビデオデータRVD，GVD，BVDとしてデータ線駆動回路１２に出力する（ステップＳ１−５）。さらに、輝度モード
データＤｂが「１，０」のとき、データ演算回路部１７は、輝度データＤａを第２変換ビデオデータRVD，GVD，BVDとしてデータ線駆動回路１２に出力する（ステップＳ１−６）
。さらにまた、輝度モードデータＤｂが「１，１」のとき、データ演算回路部１７は、輝度データＤａを第３変換ビデオデータRVD，GVD，BVDとしてデータ線駆動回路１２に出力
する（ステップＳ１−７）。
【００６７】
そして、１つの画素８Ｒ，８Ｇ，８ＢのビデオデータＤの変換が終わると、データ演算回路部１７は、表示オフ（運転キーのオフ）をチェックした後（ステップＳ１−８）、次の１つの画素８Ｒ，８Ｇ，８ＢのビデオデータＤを取り込み、同様な変換を行い、これを繰り返すことにより、表示パネル部２の表示エリアＨに図２に示す画面Ｆを表示する。
【００６８】
このようにして、外部装置ＧＳから表示装置１に図２に示す画面Ｆを表示するためのビデオデータＤが出力されると、表示パネル部２にはスピードメータ画像Ｆ１がホワイトバランスで調整されたホワイトバランス調整輝度で表示される。そして、特殊マーク表示Ｆ２がホワイトバランス調整輝度に制限されることなく該ホワイトバランス調整輝度より大きい発光輝度で表示される。
【００６９】
上記実施形態によれば、以下の作用効果を奏する。
（１）本実施形態によれば、赤用有機ＥＬ素子９Ｒを有する赤用画素８Ｒ、緑用有機ＥＬ素子９Ｇを有する緑用画素８Ｇ、青用有機ＥＬ素子９Ｂを有する青用画素８Ｂを配置した表示パネル４を備えた表示装置１において、表示エリアＨに同色の光を発光する各有機ＥＬ素子９Ｒ，９Ｇ，９Ｂの発光輝度を決定する輝度データＤａに輝度モードデータＤｂ
を付加したビデオデータＤを供給するようにした。その輝度モードデータＤｂに基づいて、有機ＥＬ素子９Ｒ，９Ｇ，９Ｂに対する新たな変換ビデオデータRVD，GVD，BVDを作成
し、その変換ビデオデータRVD，GVD，BVDに基づいて各有機ＥＬ素子９Ｒ，９Ｇ，９Ｂを
発光制御するようにした。
【００７０】
従って、一つの画面Ｆに、設定したホワイトバランスで調整されたホワイトバランス調整輝度で発光制御（第１輝度表示モード）されたスピードメータ画像Ｆ１と、ホワイトバランス調整輝度に制限されることなく該ホワイトバランス調整輝度より大きい発光輝度（第２輝度表示モード）される特殊マーク表示Ｆ２とを同時に表示することができる。
【００７１】
（２）本実施形態によれば、第２輝度表示モードについて、３種類（第１〜第３高輝度モード）を選択することができる。従って、有機ＥＬ素子９Ｒ，９Ｇ，９Ｂをホワイトバランス調整時の２倍、３倍または４倍の発光輝度で発光させて、特殊マーク表示Ｆ２を高輝度で発光表示することができる。つまり、赤、緑または青の単色で発光させる場合、ホワイトバランス調整輝度に制限されることなく該ホワイトバランス調整輝度より大きい発光輝度で発光することができる。
【００７２】
（３）本実施形態によれば、各画素８Ｒ，８Ｇ，８Ｂに形成される有機ＥＬ素子９Ｒ，９Ｇ，９Ｂは、その発光層が高分子有機材料で構成されたのもである。そして、各有機ＥＬ素子９Ｒ，９Ｇ，９Ｂの発光層を、所謂インクジェット法を使用して形成するようにした。従って、有機ＥＬ素子９Ｒ，９Ｇ，９Ｂにおいて、所望の発光層を形成するのに必要な量だけの高分子有機材料を所定の位置に吐出すればよいので、例えば、スピンコート法といった他の方法を使用して形成するようにした場合に比べて、前記高分子有機材料の使用量を抑えることができる。この結果、表示装置１の製造コストが高くなるのを抑えることができる。
【００７３】
（４）本実施形態によれば、表示エリアＨに表示される画面Ｆは、車両Ｃの車両情報としてのスピードメータ画像Ｆ１、左右方向指示表示灯Ｆ2a，Ｆ2b、シートベルト表示灯Ｆ2cを備えている。そして、左右方向指示表示灯Ｆ2a，Ｆ2b及びシートベルト表示灯Ｆ2cは、ホワイトバランス調整輝度より大きい発光輝度で表示される。この結果、左右方向指示表示灯Ｆ2a，Ｆ2b及びシートベルト表示灯Ｆ2cの視認性を高め、車両を運転する運転者に対してその左右方向指示表示灯Ｆ2a，Ｆ2b及びシートベルト表示灯Ｆ2cの表示を確実に視認させることができる。
（第２実施形態）
以下、本発明を具体化した第２実施形態を、図１０及び図１１に従って説明する。
【００７４】
本実施形態では、外部装置ＧＳからの１画素分のビデオデータＤが、第１実施形態と相違して輝度モードデータＤｂが付加されていない８ビットの輝度データＤａで構成されている。そのため、本実施形態では、データ演算回路部１７において、データクロックDCLCに同期して入力されるビデオデータＤ（８ビットの輝度データＤａ）について、特殊マーク表示Ｆ２を表示する領域に属する各画素８Ｒ，８Ｇ，８Ｂ（赤、緑及び青用有機ＥＬ素子９Ｒ，９Ｇ，９Ｂ）のビデオデータＤを見つけ出し特定する。データ演算回路部１７は、特定した各画素８Ｒ，８Ｇ，８Ｂ（赤、緑及び青用有機ＥＬ素子９Ｒ，９Ｇ，９Ｂ）のビデオデータＤについては第１実施形態の変換ビデオデータRVD，GVD，BVDに相当する特
殊表示ビデオデータを生成し、それ以外のビデオデータＤをそのままデータ線駆動回路１２に出力する。
【００７５】
図１０に示すように、データ演算回路部１７には、計数手段としてのカウンタ２１、判定手段、輝度データ生成手段及び輝度データ選択手段としてのデータデコーダ２２、セレクタ２３を有している。
【００７６】
カウンタ２１は、データクロックDCLC及びフレームクロックFCLCを入力する。カウンタ２１は、データクロックDCLCを加算カウントする加算カウンタで、フレームクロックFCLCを入力する毎に加算値をリセットし再びデータクロックDCLCを加算カウントする。つまり、カウンタ２１のカウント値によって、データクロックDCLCに同期してデータ演算回路部１７に入力してくる１画素分のビデオデータＤが、表示エリアＨ中のどの画素８Ｒ，８Ｇ，８Ｂ（赤、緑及び青用有機ＥＬ素子９Ｒ，９Ｇ，９Ｂ）かがわかる。
【００７７】
カウンタ２１のカウント値は、データデコーダ２２に出力される。データデコーダ２２は、予め設定した複数の設定値が記憶され、この設定値とカウント値を比較して一致したとき、切替信号Ｋａと特殊表示ビデオデータＫＤを出力するようになっている。複数の設定値は、カウンタ２１が特殊マーク表示Ｆ２を表示する領域に属する各画素８Ｒ，８Ｇ，８Ｂ（赤、緑及び青用有機ＥＬ素子９Ｒ，９Ｇ，９Ｂ）をそれぞれカウントした時のカウント値である。また、特殊表示ビデオデータＫＤは、図２において、特殊マーク表示Ｆ２を、点灯・点滅表示するための輝度データであって、スピードメータ画像Ｆ１での発光輝度より高い輝度で各赤、緑及び青の各画素８Ｒ，８Ｇ，８Ｂ（赤、緑及び青用有機ＥＬ素子９Ｒ，９Ｇ，９Ｂ）を単独で発光させるための輝度データである。そして、データデコーダ２２は、カウンタ２１のカウント値に基づいて、データ演算回路部１７に特殊マーク表示Ｆ２を表示する領域の画素８Ｒ，８Ｇ，８Ｂ（赤、緑及び青用有機ＥＬ素子９Ｒ，９Ｇ，９Ｂ）のビデオデータＤが入力されると、切替信号Ｋａと特殊表示ビデオデータＫＤを生成し出力する。
【００７８】
切替信号Ｋａと特殊表示ビデオデータＫＤは、セレクタ２３に出力される。セレクタ２３は、特殊表示ビデオデータＫＤと、データクロックDCLCに同期して入力されるビデオデータＤのいずれかを選択して出力する。セレクタ２３は、切替信号Ｋａが出力されていないときには、ビデオデータＤ（輝度データＤａ）をデータ線駆動回路１２に出力し、切替信号Ｋａが出力されているときには特殊表示ビデオデータＫＤをデータ線駆動回路１２に出力する。
【００７９】
次に、表示装置１の作用を、図１１に示すデータ演算回路部１７の作用を示すフローチャートに従って説明する。
データ演算回路部１７は、外部装置ＧＳからのデータクロックDCLCに同期してビデオデータＤを入力して表示装置１の表示エリアＨに図２に示す画面Ｆを表示するための信号処理を開始する（ステップＳ２−１、Ｓ２−２）。
【００８０】
データ演算回路部１７は、データクロックDCLCとともに１画素分のビデオデータＤを取り込むと（ステップＳ２−２でＹＥＳ）、データ演算回路部１７内のカウンタ２１は加算動作する（ステップＳ２−３）。続いて、データデコーダ２２が、カウンタ２１のカウント値Ｔｉが予め設定された設定値に一致するか比較する（ステップＳ２−４）。一致しない場合（ステップＳ２−４でＮＯ）、データデコーダ２２は何れもセレクタ２３に出力しない。従って、セレクタ２３は、データクロックDCLCに同期して入力されたビデオデータＤをそのままデータ線駆動回路１２に出力する（ステップＳ２−５）。
【００８１】
反対に、一致する場合（ステップＳ２−４でＹＥＳ）、データデコーダ２２は、切替信号Ｋａと特殊表示ビデオデータＫＤをセレクタ２３に出力する（ステップＳ２−６）。そして、セレクタ２３は、切替信号Ｋａに基づいて特殊表示ビデオデータＫＤをデータ線駆動回路１２に出力する（ステップＳ２−７）。
【００８２】
そして、１つの画素８のビデオデータＤに対する処理が終わると、データ演算回路部１７は、表示オフ（運転キーのオフ）をチェックした後（ステップＳ２−８）、次の１つの
画素８のビデオデータＤの取り込み同様な変換を行い、これを繰り返すことにより、表示パネル部２の表示エリアＨに図２に示す画面Ｆを表示する。そして、１フレーム分の画素８のためのビデオデータＤが出力された、次の１フレームのための画像表示のためのフレームクロックFCLCを入力すると、カウンタ２１はリセットされて新たにカウントを開始する（ステップＳ２−９）。
【００８３】
このように、本実施形態においても、外部装置ＧＳから表示エリアＨに図２に示す画面Ｆを表示するためのビデオデータＤが出力されると、表示パネル部２には、スピードメータ画像Ｆ１が通常のホワイトバランス調整輝度で表示されるとともに、特殊マーク表示Ｆ２がホワイトバランス調整輝度に制限されることなく大きい発光輝度で表示される。
【００８４】
上記実施形態によれば、以下の作用効果を奏する。
（１）本実施形態によれば、第１実施形態と同様に、一つの画面Ｆに、設定したホワイトバランスで調整されたホワイトバランス調整輝度で発光制御（第１輝度表示モード）されたスピードメータ画像Ｆ１と、ホワイトバランス調整輝度に制限されることなく該ホワイトバランス調整輝度より大きい発光輝度（第２輝度表示モード）される特殊マーク表示Ｆ２とを同時に表示することができる。
【００８５】
（２）本実施形態によれば、高輝度で発光制御（第２輝度表示モード）される特殊マーク表示Ｆ２の輝度及び表示領域（特定の領域）は、表示装置１、即ちデータ演算回路部１７のデータデコーダ２２に予め設定できる。このため、外部装置ＧＳにおいて、ビデオデータＤを第１実施形態のように加工する必要がないので、既存の外部装置ＧＳに容易に組み付けることができる。
【００８６】
尚、この発明は以下のように変更して具体化することもできる。
・上記第１実施形態では、輝度データＤａに輝度モードデータＤｂを付加したが、これを、輝度モードデータＤｂを輝度データＤａとそれぞれ同期して入力するようにしてもよい。
【００８７】
・上記各実施形態では、ＥＥＰＲＯＭ１５、パネル制御回路１６、データ演算回路部１７及び基準電圧生成回路１８は、それぞれが独立した電子回路であるが、ＥＥＰＲＯＭ１５、パネル制御回路１６、データ演算回路部１７及び基準電圧生成回路１８が一つの集積回路で構成されたものであってもよい。
【００８８】
・上記第２実施形態では、判定手段、輝度データ生成手段及び輝度データ選択手段は、データ演算回路部１７内に設けられた１つのデータデコーダ２２であったが、これを、判定手段、輝度データ生成手段及び輝度データ選択手段がそれぞれ異なった電子回路によって構成されていてもよい。
【００８９】
・上記第１実施形態では、輝度モードデータＤｂのビット値が「０，１」、「１，０」、「１，１」である場合、その輝度モードデータＤｂに付加された輝度データＤａの各ビットデータをそれぞれシフトさせる。そして、通常の発光輝度に比べて２倍、３倍または４倍高い輝度で発光させるための変換ビデオデータRVD，GVD，BVDに変換し、データ線駆
動回路１２に出力するようにした。
【００９０】
これを、輝度モードデータＤｂの各ビット値に応じて、各画素８の最大発光輝度よりも高い輝度で発光させるための３種類の変換ビデオデータRVD，GVD，BVDを予め記憶してお
く。そして、図１２に示すように、輝度モードデータＤｂのビット値が「０，１」、「１，０」、「１，１」である場合、その輝度モードデータＤｂのビット値に応じて、その予め記憶された変換ビデオデータRVD，GVD，BVDをデータ線駆動回路１２に出力するように
してもよい。このとき、たとえば、予め設定された変換ビデオデータGVDとして、「１，
０，０，１，１，１，１，１，１」、「１，０，１，１，１，１，１，１，１」、「１，１，１，１，１，１，１，１，１」を用意しておく。そして、図１１に示すように、輝度モードデータＤｂのビット値が「０，１」である場合、変換ビデオデータGVDとして、「
１，０，０，１，１，１，１，１，１」をデータ線駆動回路１２に出力するようにする。また、輝度モードデータＤｂのビット値が「１，０」である場合、変換ビデオデータGVD
として、「１，０，１，１，１，１，１，１，１」をデータ線駆動回路１２に出力するようにする。さらに、輝度モードデータＤｂのビット値が「１，１」である場合、変換ビデオデータGVDとして、「１，１，１，１，１，１，１，１，１」をデータ線駆動回路１２
に出力するようにする。
【００９１】
このようにすることで、ホワイトバランス調整時の最大発光輝度に対して等倍（０倍）、１．２５倍、１．５倍または２倍の発光輝度で各画素８Ｒ，８Ｇ，８Ｂを発光させることができる。この結果、第１実施形態の表示装置１に比べて、左右方向指示表示灯Ｆ2a，Ｆ2b及びシートベルト表示灯Ｆ2cをホワイトバランス調整時以上の発光輝度で発光させる際、その輝度制御を細かく行うことができる。
【００９２】
・上記第１実施形態では、輝度モードデータＤｂのビット値「Ｂ１，Ｂ２」が「０，１」のとき、輝度データＤａを１ビットだけ高ビット側にシフトさせることでホワイトバランス調整輝度の２倍の発光輝度で発光させるための変換ビデオデータＲＶＤ，ＧＶＤ，ＢＶＤに変換した。また、「１，０」のとき、輝度データＤａを２ビットだけ高ビット側にシフトさせることでホワイトバランス調整輝度の３倍の発光輝度で発光させるための変換ビデオデータＲＶＤ，ＧＶＤ，ＢＶＤに変換した。さらに、「１，１」のとき、輝度データＤａを３ビットだけ高ビット側にシフトさせることでホワイトバランス調整輝度の４倍の発光輝度で発光させるための変換ビデオデータＲＶＤ，ＧＶＤ，ＢＶＤに変換するようにしたが、本発明は、これに限定されるものではない。たとえば、輝度モードデータＤｂのビット値「Ｂ１，Ｂ２」が「０，１」のとき、輝度データＤａを１ビットだけ高ビット側にシフトさせることでホワイトバランス調整輝度の２倍の発光輝度で発光させるための変換ビデオデータＲＶＤ，ＧＶＤ，ＢＶＤに変換してもよい。また、「１，０」のとき、輝度データＤａを３ビットだけ高ビット側にシフトさせることでホワイトバランス調整輝度の４倍の発光輝度で発光させるための変換ビデオデータＲＶＤ，ＧＶＤ，ＢＶＤに変換に変換してもよい。さらに、「１，１」のとき、輝度データＤａを７ビットだけ高ビット側にシフトさせることでホワイトバランス調整輝度の８倍の発光輝度で発光させるための変換ビデオデータＲＶＤ，ＧＶＤ，ＢＶＤに変換するようにしてもよい。このようにすることで、輝度モードデータＤｂのビット値「Ｂ１，Ｂ２」に応じて２次関数的に左右方向指示表示灯Ｆ2a，Ｆ2b及びシートベルト表示灯Ｆ2cの発光輝度を制御することができる。
【００９３】
・上記各実施形態では、輝度モードデータＤｂは、輝度データＤａの最上位ビット（第８ビット；「Ａ８」）よりさらに上位ビットに設けられているが、これに限定されるものではなく、例えば、輝度データＤａの最下位ビット（第１ビット；「Ａ１」）よりさらに下位位ビットに設けられていてもよい。
【００９４】
・上記各実施形態では、表示エリアＨ上に表示される画面Ｆは、スピードメータ画像Ｆ１及び各種特殊マーク表示Ｆ２を備えた表示形態を一例として説明した。これを、スピードメータ画像Ｆ１及び各種特殊マーク表示Ｆ２以外の車両Ｃのエンジン回転数を表わすタコメータや、計器類（インジケータやワーニング）等を合わせて表示する表示装置に具体化してもよい。
【００９５】
・上記各実施形態では、特殊マーク表示Ｆ２として、左右方向指示表示灯Ｆ2a，Ｆ2bやシートベルト表示灯Ｆ2cであったが、これに限定されるものではなく、他のマーク表示で
あってもよい。例えば、ブレーキ灯であってもよい。
【００９６】
・上記各実施形態では、発光素子として有機ＥＬ素子９Ｒ，９Ｇ，９Ｂを使用したが、これを有機ＥＬ素子以外の発光素子（例えば、発光ダイオード（ＬＥＤ）素子）を用いたものであっても本発明は適用可能である。
【００９７】
・上記実施形態では、電子機器として車両ＣのインストルメントパネルＷについて説明したが、これに限定されるものではなく、計器用表示装置に広く適用可能である。
【図面の簡単な説明】
【００９８】
【図１】表示装置が搭載された車両のインストルメントパネルの斜視図。
【図２】表示装置の表示エリア上に表示される画面の表示形態を示す模式図。
【図３】表示装置の表示パネル部の構造を説明するための図。
【図４】画素の電気的構成を説明するための図。
【図５】第１実施形態に係る表示装置の電気的構成図。
【図６】データ線駆動回路の構成を説明するための図。
【図７】ビデオデータの構造を説明するための図。
【図８】第１実施形態に係る変換ビデオデータの作成方法を説明するための図。
【図９】第１実施形態に係るデータ変換回路の動作を説明するためのフローチャート。
【図１０】第２実施形態に係る表示装置の電気的構成図。
【図１１】第２実施形態に係るデータ変換回路の動作を説明するためのフローチャート。
【図１２】別例を説明するための図。
【符号の説明】
【００９９】
Ｃ…車両、Ｄａ…輝度データ、Ｄｂ…輝度変換データとしての輝度モードデータ、ＤＸ1〜ＤＸm…データ信号、ＥＲ，ＥＧ，ＥＢ…電源電圧、Ｆ…車両情報画像、ＧＳ…外部装置、Ｈ…表示エリア、ＬＸ1〜ＬＸm…データ線、ＬＹ1〜ＬＹn…走査線、Ｗ…電子機器としてのインストルメントパネル、１…表示装置、２…表示パネル部、８…画素、９Ｒ，９Ｇ，９Ｂ…発光素子及びエレクトロルミネッセンス素子としての有機エレクトロルミネッセンス素子、１２…データ信号生成手段としてのデータ線駆動回路、…制御回路、データ変換手段及び抽出手段としてのデータ演算回路部、１９…輝度比設定手段としての電源回路、２１…計数手段としてのカウンタ、２２…判定手段、輝度データ生成手段及び輝度データ選択手段としてのデータデコーダ。
【図１】
2007094328.tif 000003
【図２】
2007094328.tif 000004
【図３】
2007094328.tif 000005
【図４】
2007094328.tif 000006
【図５】
2007094328.tif 000007
【図６】
2007094328.tif 000008
【図７】
2007094328.tif 000009
【図８】
2007094328.tif 000010
【図９】
2007094328.tif 000011
【図１０】
2007094328.tif 000012
【図１１】
2007094328.tif 000013
【図１２】
2007094328.tif 000014